(57)【要約】【課題】重量を有する鞄等を掛けても十分な耐力を有し、色や氏名等でフックの識別を行うことができ、必要に応じて手軽に取り外したり、取り付けたりすることができる構造の物掛け用フックを提供する。【解決手段】長押本体のフック受けレールに嵌合する嵌合フック部と、長押本体の凹溝に係合する凸片を形成した後方延長部とを備え、フック本体の嵌合フック部と後方延長部とを連結する垂直連結部の下部にて前方へ張り出すと共に先端が上方へ折曲された前方フック部と、垂直連結部の下部にて後方へ折曲されると共に上方へ折曲された後方フック部とを有し、垂直連結部には長押本体の前面に向けてビスで捩じ込み可能なビス穴が形成されると共に、ビス穴に捩じ込んだビスの頭部を目隠しするキャップ部材に形成された嵌合凸部を嵌合凹部に着脱自在に嵌め込むようにした。【選択図】図２
2013017643.tif 000002
【特許請求の範囲】
【請求項１】
壁面に水平状に固定した長尺板材の上方前部に沿って形成したフック受けレールと、長尺板材の下方後端に沿って形成した凹溝と、長尺板材の前面に設けられ、ビスの捩じ込みを可能とする前面部とを備えた長押本体に着脱自在に取付けるフック本体を有する物掛け用フックにおいて、
該フック本体の上部に形成され、長押本体のフック受けレールに嵌合する嵌合フック部と、
該フック本体の下部に形成され、長押本体の凹溝に係合する凸片を形成した後方延長部とを備えることによってフック本体を長押本体に取付け、
該フック本体の嵌合フック部と後方延長部とを連結する垂直連結部の下部にて前方へ張り出すと共に先端が上方へ折曲された前方フック部と、
該垂直連結部の下部にて後方へ折曲されると共に上方へ折曲された後方フック部とを有し、
該垂直連結部には長押本体の前面に向けてビスで捩じ込み可能なビス穴が形成され、該ビス穴の周りに嵌合凹部が形成されると共に、該嵌合凹部にビス穴に捩じ込んだビスの頭部を目隠しするキャップ部材に形成された嵌合凸部を着脱自在に嵌め込むようにしたことを特徴とする物掛け用フック。
【請求項２】
フック本体の上部に形成した嵌合フック部で長押本体のフック受けレールに引掛けた部位を支点として、該フック本体を回動しながら、フック本体の下部に形成された後方延長部の凸片を長押本体の下方後端の下部凹溝に係合することによって、フック本体を長押本体に取付けるようにしたことを特徴とする請求項１記載の物掛け用フック。
【請求項３】
キャップ部材は異なる色の着色によって識別することができるようにしたことを特徴とする請求項１又は２記載の物掛け用フック。
【請求項４】
キャップ部材を所定形状に拡大し又は変形することによって、氏名等の個人を識別する表示内容を書き込み可能としたことを特徴とする請求項１、２又は３記載の物掛け用フック。
【発明の詳細な説明】
【技術分野】
【０００１】
本発明は、例えば、幼稚園の施設等において、室内の壁面に固定したフック受けレールに夫々の鞄等を掛けることができるようにした物掛け用フックに関する。
【背景技術】
【０００２】
従来から、例えば、幼稚園の施設等においては、室内の壁面に夫々の園児の鞄等を掛けるための物掛け用フックが取り付けられている。このような従来の物掛け用フックは、壁面にネジを捩じ込むことによって取付けるフックや、フック本体のネジ穴に挿通したネジで壁面に固定する構造のフック等が一般的であった。
【０００３】
また、幼稚園の施設等に設けられたフックを園児が各人ごとに使用する際、夫々のフックを区別するために、フックの近くに園児の氏名を書いたシールを貼る等によって識別することが行われている。
【０００４】
ところで、上記のように、壁面等にフックを取付けると共に、フックごとに氏名を記載するようにした従来の技術として、特許文献１のフック付ネームプレートが開発されている。このフック付ネームプレートは、可撓性基板の裏面に接着剤層を設けると共に、基板の表面に折曲可能なフックを形成し、この基板の表面に書き込み可能な氏名記入欄や住所記入欄を設け、基板を壁面等に貼り付けた状態でフックを起立することによって、このフックに物を掛けるようにしたものである。
【先行技術文献】
【特許文献】
【０００５】
【特許文献１】実開平３−１１４８７０号公報
【発明の概要】
【発明が解決しようとする課題】
【０００６】
ところで、上記した特許文献１のフック付ネームプレートは、可撓性基板の裏面に設けた接着剤で壁面等に接着するものであるため、接着後は容易に取り外すことが困難である。また、接着剤が剥離した際には、可撓性基板が壁面から外れてしまうおそれがあった。
【０００７】
また、上記のフック付ネームプレートは、可撓性基板に折曲可能なフックを形成した構成であるため、重量を有する鞄等をフックに掛けると、フックが変形するおそれがあった。
【０００８】
本発明は、上記のような強度的に弱い構造のフックではなく、重量を有する鞄等を掛けても十分な耐力を有し、色彩や氏名等でフックの識別を行うことができ、また必要に応じて手軽に取り外したり、取り付けたりすることができる物掛け用フックを提供することを目的とする。
【課題を解決するための手段】
【０００９】
上記の目的を達成するために、本発明における請求項１の物掛け用フックは、壁面に水平状に固定した長尺板材の上方前部に沿って形成したフック受けレールと、長尺板材の下方後端に沿って形成した凹溝と、長尺板材の前面に設けられ、ビスの捩じ込みを可能とする前面部とを備えた長押本体に着脱自在に取付けるフック本体を有する物掛け用フックにおいて、該フック本体の上部に形成され、長押本体のフック受けレールに嵌合する嵌合フック部と、該フック本体の下部に形成され、長押本体の凹溝に係合する凸片を形成した後方延長部とを備えることによってフック本体を長押本体に取付け、該フック本体の嵌合フック部と後方延長部とを連結する垂直連結部の下部にて前方へ張り出すと共に先端が上方へ折曲された前方フック部と、該垂直連結部の下部にて後方へ折曲されると共に上方へ折曲された後方フック部とを有し、該垂直連結部には長押本体の前面に向けてビスで捩じ込み可能なビス穴が形成され、該ビス穴の周りに嵌合凹部が形成されると共に、該嵌合凹部にビス穴に捩じ込んだビスの頭部を目隠しするキャップ部材に形成された嵌合凸部を着脱自在に嵌め込むようにしたことを特徴とする。
【００１０】
また、本発明における請求項２の物掛け用フックは、請求項１において、フック本体の上部に形成した嵌合フック部で長押本体のフック受けレールに引掛けた部位を支点として、該フック本体を回動しながら、フック本体の下部に形成された後方延長部の凸片を長押本体の下方後端の下部凹溝に係合することによって、フック本体を長押本体に取付けるようにしたことを特徴とする。
【００１１】
また、本発明における請求項３の物掛け用フックは、請求項１又は２において、キャップ部材は異なる色の着色によって識別することができるようにしたことを特徴とする。
【００１２】
さらに、本発明における請求項４の物掛け用フックは、請求項１、２又は３において、キャップ部材を所定形状に拡大し又は変形することによって、氏名等の個人を識別する表示内容を書き込み可能としたことを特徴とする。
【発明の効果】
【００１３】
本発明の物掛け用フックによれば、壁面に水平状に固定した長尺板材の上方前部に沿って形成したフック受けレールに、物掛け用フックのフック本体の嵌合フック部を引っ掛けると共に、この引っ掛けた部位を支点としてフック本体を回動することができる。次いで、フック本体の下部に形成された後方延長部の凸片を長押本体の下方後端の下部凹溝に係合することによって、容易に、フック本体を長押本体に取付けることが可能となる。また、このようにフック本体を長押本体に取付けた状態で、フック本体をフック受けレールに沿って横方向に移動することができ、所望の位置に位置決めすることが可能となる。
【００１４】
また、物掛け用フックのフック本体を長押本体から取り外す際、上記の逆の操作として、垂直連結部の下部に設けられた後方フック部に手の指を掛けて前方へ引き出すことにより、長尺板材のフック受けレールにフック本体の嵌合フック部を引っ掛けた部位を支点として、フック本体を回動することができる。このようにして、フック本体の後方延長部の凸片を長押本体の下方後端の下部凹溝から離脱することによって、容易に、フック本体を長押本体から取り外すことができる。
【００１５】
また、上記のように長押本体に物掛け用フックのフック本体を取付けると共に、物掛け用フックを横方向に移動して固定すべき位置を決めた後、垂直連結部に設けられたビス穴に挿入したビスを長押本体の前面に捩じ込むことにより、所定位置に物掛け用フックを固定することが可能となる。このため、本発明の物掛け用フックを幼稚園の施設等で使用する場合、長押本体に複数の物掛け用フックを所定間隔をあけて所定位置に固定することが可能となる。
【００１６】
また、上記のように長押本体の所定位置に物掛け用フックを固定した後、ビス穴の周りの嵌合凹部にキャップ部材の嵌合凸部を着脱自在に嵌め込むことにより、ビス穴に捩じ込んだビスの頭部を目隠し状態にすることが可能となる。
【００１７】
さらに、本発明においては、フック本体をＡＢＳグラスファイバー合成樹脂等の硬質合成樹脂によって形成することによって、物掛け用フックの前方フック部等の強度を確保することができ、この前方フック部に重量のある鞄等の荷物を掛けることが可能となる。
【００１８】
また、本発明の物掛け用フックのフック本体には後方フック部が形成されているため、氏名等を表示した表示具に紐を取付け、この紐を後方フック部に引掛けることによって、氏名等を表示した表示具を常時吊り下げた状態で表示することが可能となる。
【００１９】
また、本発明において、上記のキャップ部材を色の異なる着色によって識別することにより、本発明の物掛け用フックを幼稚園の施設等で使用する場合に、夫々の物掛け用フックを一目で識別することが可能となる。また、長押本体に多様な色彩のキャップ部材が並んで配列されるため、見た目にも綺麗で楽しい物掛け用フックを提供することが可能となる。
【００２０】
さらに、上記の物掛け用フックに使用したキャップ部材の形状を拡大し、又は多様なデザインにすることによって、例えば、幼稚園児の氏名等を書き込むことが可能となり、また幼稚園児等に好まれる意匠をデザイン化することが可能となる。
【図面の簡単な説明】
【００２１】
【図１】本発明の実施例における物掛け用フックの斜視図である。
【図２】本発明における実施例の物掛け用フックを長押本体に取り付けた状況を示す斜視図である。
【図３】（ａ）〜（ｄ）は、本発明における実施例の物掛け用フックを長押本体に取り付ける作業手順を示す断面図である。
【図４】（ａ）〜(ｃ)は、本発明における実施例の物掛け用フックを長押本体に取り付ける作業手順を示す斜視図である。
【図５】本発明における実施例の物掛け用フックに用いたキャップ部材の一例を示す図であり、（ａ）は正面図、（ｂ）は背面図、（ｃ）は側面図である。
【図６】本発明における実施例の物掛け用フックに用いたキャップ部材の他の例を示す図であり、（ａ）は正面図、（ｂ）は背面図、（ｃ）は側面図である。
【図７】本発明の物掛け用フックの他の実施例のキャップ部材をフック本体の嵌合凹部に取り付けた状況を示す斜視図である。
【図８】本発明の物掛け用フックのさらに他の実施例のキャップ部材をフック本体の嵌合凹部に取り付けた状況を示す斜視図である。
【発明を実施するための形態】
【００２２】
以下、本発明の実施例について図面を参照しながら説明する。
【実施例】
【００２３】
本発明の物掛け用フック１は、図３（ａ）〜（ｄ）に示すような壁部材Ｗの壁面に水平状に固定した長押本体１０に取付けるフック本体２を備えた物掛け用フック１を構成したものである。上記の長押本体１０は、長尺板材１１の上方前部に沿って形成したフック受けレール１２と、長尺板材１１の下方後端に沿って形成した下部凹溝１３と、長尺板材１１の前面に設けられ、ビス１４の捩じ込みを可能とする前面部１５とを備えた構成とされている。
【００２４】
また、このような長押本体１０は、図３（ａ）、（ｂ）に示すように、壁部材Ｗの壁面に接着剤２１を介して接着することによって仮止めし、次いで壁部材Ｗの背面に設けられた木製又は鉄骨等の下地材２０に向けて長押本体１０の表面から長ネジ２２を捩じ込んで固定する。このとき、長ネジ２２の頭部２２ａの上面に、後述する化粧シート１７を接着することによって長ネジ２２の頭部２２ａの目隠しをすることが可能となる。
【００２５】
また、このような長押本体１０は、ＡＢＳグラスファイバー合成樹脂等の高剛性硬質樹脂によって形成することが可能であるが、後述するように、ビス１４を捩じ込む長押本体１０の前面部１５（図３(ｃ)、（ｄ）参照）は、ビス１４やその他の画鋲等を挿し込み易いように多孔質体とするのが好ましい。
【００２６】
また、図３(ａ)、（ｂ）に示すように、上記の長押本体１０の前面には溝面１６が形成され、この溝面１６に軟質の合成樹脂シート等による化粧シート１７（図２参照）が接着剤等で固定されている。このため、上記のように長押本体１０の前面部１５に挿し込んだビス１４や画鋲等を引き抜いた状態で、軟質の化粧シート１７にはビス１４や画鋲等の引抜き穴が生じ難く、この化粧シート１７で長押本体１０に生じた傷穴等を隠した状態にすることが可能となる。
【００２７】
また、本発明の物掛け用フック１は、図１又は図３（ｂ）〜（ｄ）に示すように、後述する垂直連結部３を胴部として構成するフック本体２の後方に向けて形成され、上記の長押本体１０のフック受けレール１２に嵌合する嵌合フック部４と、該フック本体２の下部に形成され、長押本体１０の下部凹溝１３に係合する凸片５ａを形成した後方延長部５とが設けられ、これらの嵌合フック部４と後方延長部５とによってフック本体２を長押本体１０に取付ける構成とされている。
【００２８】
なお、上記の垂直連結部３において後方延長部５のやや上部の背面に後方へ突出した凸条部２ａが形成されている。この凸条部２ａは、図３（ｂ）、（ｃ）に示すように、物掛け用フック１を長押本体１０に取り付ける際に、長押本体１０の下端枠部１０ａに当接させて物掛け用フック１を支持するために形成されたものである。
【００２９】
さらに、フック本体２の嵌合フック部４と後方延長部５とを連結する垂直連結部３の下部にて前方へ張り出すと共に先端が上方へ折曲された前方フック部６と、垂直連結部３の下部にて後方へ折曲されると共に上方へ折曲された後方フック部７とが形成されている。
【００３０】
上記のように構成された物掛け用フック１のフック本体２は、全体構成をＡＢＳグラスファイバー合成樹脂等の高剛性硬質樹脂で形成してあるため、特に、重量を有する鞄等を掛けるための前方フック部６の強度を確保することが可能とされている。なお、物掛け用フック１のフック本体２及びキャップ部材８等に抗菌剤を混入して使用上の衛生を図るようにしても良い。
【００３１】
また、物掛け用フック１のフック本体２に設けられた垂直連結部３には、長押本体１０の前面に向けてビス１４で捩じ込み可能なビス穴３ａが形成されると共に、ビス穴３ａの周りに円形状の嵌合凹部３ｂが形成されている。また、ビス穴３ａに捩じ込んだビス１４の頭部１４ａを目隠しするキャップ部材８に形成された嵌合凸部８ａを嵌合凹部３ｂに着脱自在に嵌め込むようにしている。
【００３２】
このような構成により、図３（ｂ）に示すように、フック本体２の上部に形成された嵌合フック部４を長押本体１０のフック受けレール１２に引っ掛けた部位、即ち嵌合フック部４の先端がフック受けレール１２の後方上部に形成された上部凹溝１２ａに当接する部位を支点として、該フック本体２を回動しながら、フック本体２の下部に形成された後方延長部５の凸片５ａを長押本体１０の下方後端の下部凹溝１３に係合することによって、フック本体２を長押本体１０に取付けることが可能となる。
【００３３】
また、本実施例において、図４（ａ）〜（ｃ）に示すように、長押本体１０の所定位置に物掛け用フック１を取付けると共に、フック受けレール１２に沿って横方向に移動し、ビス穴３ａにビス１４を捩じ込んで固定した後、ビス穴３ａの周りの嵌合凹部３ｂにキャップ部材８の嵌合凸部８ａを着脱自在に嵌め込むことにより、ビス１４の頭部１４ａを目隠しすることが可能となる。
【００３４】
このようなキャップ部材８は、前面形状が、図４（ａ）〜(ｃ)、及び図５（ａ）に示す円形に形成され、その内側に突出形成された嵌合部８ａはフック本体２の垂直連結部３に形成された嵌合凹部３ｂの形状に応じて円形のリング状に形成されている。
【００３５】
また、このキャップ部材８は異なる色を着色することによって、複数種類のキャップ部材８を作成することができ、フック本体２は同一の色であっても、キャップ部材８の着色によって、物掛け用フック１を容易に識別することが可能となる。また、長押本体１０に多様な色彩のキャップ部材８を配列することができるため、見た目にも綺麗で楽しい複数の物掛け用フック１を形成することが可能となる。
【００３６】
さらに、本実施例においては、キャップ部材８の形状を拡大し又は変形することによって、多様なデザインにし、これによって、例えば、幼稚園児の氏名等を書き込む広さを確保することが可能となる。また、幼稚園児等に好まれる意匠性をデザイン化することも可能となる。
【００３７】
本実施例において、キャップ部材８の具体的な形状としては、図５（ａ）に示すように、キャップ部材８の前面形状が円形に形成されたもののほか、図６（ａ）及び図７に示すように横方向に長い長方形状、さらには、図８に示すような、横方向に長い任意の形状に形成したものを用いることも可能である。いずれにしても、キャップ部材８の内側面に形成する嵌合凸部８ａ、９ａ、１９ａは、物掛け用フック１のフック本体２に形成した嵌合凹部３ｂに着脱自在に嵌合し得る形状とする。
【００３８】
また、図５（ａ）に示すキャップ部材８の円形の前面部を、図６（ａ）及び図７に示すように横方向に長いキャップ部材９、図８に示すように横方向に長い任意形状のキャップ部材１９とすることにより、幼稚園児等の氏名等を表示し、または他の絵柄を書くことによって幼稚園児等に好まれる意匠性をデザイン化することが可能となる。
【００３９】
上記のように形成された物掛け用フック１のフック本体２を長押本体１０の所定箇所に取り付けるには、図３（ａ）〜（ｄ）、又は図４（ａ）〜(ｃ)に示すように、壁部材Ｗの壁面に水平状に固定した長尺板材１１のフック受けレール１２に、フック本体２の嵌合フック部４を引掛けると共に、フック本体２を回動しながらフック本体２の後方延長部５における凸片５ａを長押本体１０の下部凹溝１３に係合し、容易に、フック本体２を長押本体１０に取付けることが可能となる。また、このようにフック本体２を長押本体１０に取付けた状態で、フック本体２をフック受けレール１２に沿って横方向に移動することができ、所望の位置に位置決めすることが可能となる。
【００４０】
なお、この物掛け用フック１のフック本体２を長押本体１０に取り付けるには、長押本体１０の端部が露呈した状態であれば、長押本体１０の端部から物掛け用フック１のフック本体２を挿入するようにしても良い。
【００４１】
また、物掛け用フック１を長押本体１０から取り外す際、上記の逆の操作によって垂直連結部３の後方フック部７に手の指を掛けて前方へ引き出すと共に、物掛け用フック１のフック本体２を回動するようにして、フック本体２の後方延長部５の凸片５ａを長押本体１０の下方後端の下部凹溝１３から離脱することにより、容易にフック本体２を長押本体１０から取り外すことができる。
【００４２】
また、上記のように長押本体１０に物掛け用フック１のフック本体２を取付け、長押本体１０に取り付けた物掛け用フック１の固定位置を決めた後、垂直連結部３に設けられたビス穴３ａに挿入したビス１４を長押本体１０の前面に捩じ込むことにより、所望の位置に物掛け用フック１を固定することが可能となる。このため、物掛け用フック１を幼稚園の施設等で使用する場合、長押本体１０に対して複数の物掛け用フック１を所定間隔をあけて固定状態で取付けることが可能となる。
【００４３】
また、上記のように長押本体１０の所定位置に物掛け用フック１を固定した後、ビス穴３ａの周りの嵌合凹部３ｂにキャップ部材８の嵌合凸部８ａを着脱自在に嵌め込むことにより、ビス穴３ａに捩じ込んだビス１４の頭部１４ａを目隠しすることが可能となる。
【００４４】
さらに、図２に示すように、壁面に固定した長押本体１０に本発明の物掛け用フック１を取り付けた状態で、物掛け用フック１の前方フック部６に重量のある鞄等の荷物を掛けることが可能となる。さらに、氏名等を表示した表示具１８に紐１８ａを取付け、この紐１８ａを物掛け用フック１の後方フック部７に引掛けることによって、物掛け用フック１ごとに氏名等を表示した表示具１８を常時吊り下げた状態で表示することが可能となる。
【産業上の利用可能性】
【００４５】
本発明の物掛け用フックは、重量を有する鞄等を掛けても十分な耐力を有し、色や氏名等でフックの識別を行うことができ、また必要に応じて手軽に取り外したり、取り付けたりすることができる構造の物掛け用フックとして利用することが可能である。
【符号の説明】
【００４６】
１  物掛け用フック
２  フック本体
２ａ  凸条部
３  垂直連結部
３ａ  ビス穴
３ｂ  嵌合凹部
４  嵌合フック部
５  後方延長部
５ａ  凸片
６  前方フック部
７  後方フック部
８  キャップ部材
８ａ  嵌合凸部
９  横方向に長いキャップ部材
９ａ  嵌合凸部
１０  長押本体
１０ａ  下端枠部
１１  長尺板材
１２  フック受けレール
１２ａ  上部凹溝
１３  下部凹溝
１４  ビス
１４ａ  頭部
１５  前面部
１６  溝面
１７  化粧シート
１８  表示具
１８ａ  紐
１９  任意形状のキャップ部材
１９ａ  嵌合凸部
２１  接着剤
２０  下地材
２２  ネジ
２２ａ  頭部
Ｗ  壁部材
【図１】
2013017643.tif 000003
【図２】
2013017643.tif 000004
【図３】
2013017643.tif 000005
【図４】
2013017643.tif 000006
【図５】
2013017643.tif 000007
【図６】
2013017643.tif 000008
【図７】
2013017643.tif 000009
【図８】
2013017643.tif 000010